(57)【要約】【課題】  本発明は、命令入力時の操作性を格段的に向上し得るようにする。【解決手段】  本発明は、任意に選択された継続時間で命令を受け付ける命令受付状態と、当該命令受付状態が一時的に解除される受付解除状態とを順次交互に切り替えて操作される操作子８に対する命令受付状態が第１及び第２の命令受付状態のうちいずれであるかを判別し、操作子８に対する受付解除状態が所定の終了判断基準時間以上継続されたときに操作の終了を判断し、操作子８に対する操作の間に判別された２種類の命令受付状態の組み合せ内容に基づいて、入力された命令を識別することにより、多数の命令がそれぞれどの操作子に割り当てられたかを何ら意識させずに、１個の操作子８により、少なくとも２種類の命令受付状態の組み合せのみを意識させるだけで多数の命令を容易に入力させることができ、かくして命令入力時の操作性を格段的に向上し得る。【選択図】        図８
2005032357.tif 000002
【特許請求の範囲】
【請求項１】
任意に選択された継続時間で命令を受け付ける命令受付状態と、当該命令受付状態が一時的に解除される受付解除状態とを順次交互に切り替えて操作される操作子と、
上記操作子に対する上記命令受付状態が、上記継続時間の違いで区別される少なくとも２種類の命令受付状態のうちいずれであるかを判別する判別手段と、
上記操作子に対する上記受付解除状態が所定の終了判断基準時間以上継続されたとき、当該操作子に対する上記操作が終了したと判断する判断手段と、
上記操作子に対する上記操作の開始時点から終了時点までに判別された上記２種類の命令受付状態の組み合せ内容に基づいて、当該操作子に対する上記操作に応じて入力された命令を識別する識別手段と
を具えることを特徴とする命令入力装置。
【請求項２】
上記識別手段は、
上記操作子に対する上記操作の上記開始時点から上記終了時点までに判別された上記２種類の命令受付状態の回数及び移行の順番の組み合せ内容に基づいて当該操作子に対する上記操作に応じて入力された上記命令を識別する
ことを特徴とする請求項１に記載の命令入力装置。
【請求項３】
上記識別手段によって識別された上記命令を通知する通知手段
を具えることを特徴とする請求項１に記載の命令入力装置。
【請求項４】
任意に選択された継続時間で命令を受け付ける命令受付状態と、当該命令受付状態が一時的に解除される受付解除状態とを順次交互に切り替えて操作される操作子に対する上記命令受付状態が、上記継続時間の違いで区別される少なくとも２種類の命令受付状態のうちいずれであるかを判別する判別ステップと、
上記操作子に対する上記受付解除状態が所定の終了判断基準時間以上継続されたとき、当該操作子に対する上記操作が終了したと判断する判断ステップと、
上記操作子に対する上記操作の開始時点から終了時点までに判別された上記２種類の命令受付状態の組み合せ内容に基づいて、当該操作子に対する上記操作に応じて入力された命令を識別する識別ステップと
を具えることを特徴とする命令入力方法。
【請求項５】
コンピュータに、
任意に選択された継続時間で命令を受け付ける命令受付状態と、当該命令受付状態が一時的に解除される受付解除状態とを順次交互に切り替えて操作される操作子に対する上記命令受付状態が、上記継続時間の違いで区別される少なくとも２種類の命令受付状態のうちいずれであるかを判別する判別ステップと、
上記操作子に対する上記受付解除状態が所定の終了判断基準時間以上継続されたとき、当該操作子に対する上記操作が終了したと判断する判断ステップと、
上記操作子に対する上記操作の開始時点から終了時点までに判別された上記２種類の命令受付状態の組み合せ内容に基づいて、当該操作子に対する上記操作に応じて入力された命令を識別する識別ステップと
を実行させるための入力命令識別プログラム。
【請求項６】
所定の記録媒体からコンテンツデータを再生する再生装置において、
任意に選択された継続時間で命令を受け付ける命令受付状態と、当該命令受付状態が一時的に解除される受付解除状態とを順次交互に切り替えて操作される操作子と、
上記操作子に対する上記命令受付状態が、上記継続時間の違いで区別される少なくとも２種類の命令受付状態のうちいずれであるかを判別する判別手段と、
上記操作子に対する上記受付解除状態が所定の終了判断基準時間以上継続されたとき、当該操作子に対する上記操作が終了したと判断する判断手段と、
上記操作子に対する上記操作の開始時点から終了時点までに判別された上記２種類の命令受付状態の組み合せ内容に基づいて、当該操作子に対する上記操作に応じて入力された命令を識別する識別手段と、
上記識別手段によって識別された上記命令に従って上記記録媒体から上記コンテンツデータを再生する再生手段と
を具えることを特徴とする再生装置。
【請求項７】
所定の記録媒体に対してコンテンツデータを記録再生する記録再生装置と、当該記録再生装置に対する上記記録再生を制御する制御装置とから構築された記録再生システムにおいて、
上記制御装置は、
任意に選択された継続時間で命令を受け付ける命令受付状態と、当該命令受付状態が一時的に解除される受付解除状態とを順次交互に切り替えて操作される操作子と、
上記操作子に対する上記命令受付状態が、上記継続時間の違いで区別される少なくとも２種類の命令受付状態のうちいずれであるかを判別する判別手段と、
上記操作子に対する上記受付解除状態が所定の終了判断基準時間以上継続されたとき、当該操作子に対する上記操作が終了したと判断する判断手段と、
上記操作子に対する上記操作の開始時点から終了時点までに判別された上記２種類の命令受付状態の組み合せ内容に基づいて、当該操作子に対する上記操作に応じて入力された命令を識別する識別手段と、
上記識別手段によって識別された上記命令を上記記録再生装置に送信する送信手段と
を具え、
上記記録再生装置は、
上記制御装置から送信された上記命令を受信する受信手段と、
上記命令に従って上記記録媒体に対して上記コンテンツデータを上記記録再生する記録再生手段と
を具えることを特徴とする記録再生システム。
【発明の詳細な説明】
【技術分野】
【０００１】
本発明は命令入力装置に関し、例えば携帯型記録再生装置を有する記録再生システムに適用して好適なものである。
【背景技術】
【０００２】
従来の再生装置は、再生キー及び停止キーを有し、音楽の再生停止中に再生キーが操作されると、動作状態を音楽の再生に切り替え、音楽の再生中に再生キーが操作されると、その操作開始から操作終了までの経過時間が所定時間よりも短いときには動作状態を一時停止に切り替え、当該経過時間が所定時間よりも長いときには動作状態を早送り（又は高速再生）に切り替えている。
【０００３】
またかかる再生装置は、音楽の再生中に停止キーが操作されると、その操作開始から操作終了までの経過時間が所定時間よりも短いときには動作状態を停止に切り替え、当該経過時間が所定時間よりも長いときには動作状態を逆方向の早送り（又は高速再生）に切り替えている（例えば、特許文献１参照）。
【特許文献１】特開平８−３２９５８７号公報（第２頁、第３頁、図２、図３）
【発明の開示】
【発明が解決しようとする課題】
【０００４】
ところでかかる構成の再生装置においては、１個の操作キー（すなわち、再生キー及び停止キー）に対して、操作開始から操作終了までの経過時間が所定時間よりも長いか短いかに応じた２種類の命令が割り当てられている。
【０００５】
ところがかかる構成の再生装置においては、入力可能な命令の種類を増やすと、その分、２種類の命令を割り当てる操作キーが増加し、その結果、個々の命令を入力するための操作キーに対する操作開始から操作終了までの経過時間と、当該命令がいずれの操作キーに割り当てられているかの両方を意識させて複数の操作キーを使い分けさせる必要があり、操作性を向上し難いという問題があった。
【０００６】
本発明は以上の点を考慮してなされたもので、命令入力時の操作性を格段的に向上し得る命令入力装置を提案しようとするものである。
【課題を解決するための手段】
【０００７】
かかる課題を解決するため本発明においては、任意に選択された継続時間で命令を受け付ける命令受付状態と、当該命令受付状態が一時的に解除される受付解除状態とを順次交互に切り替えて操作される操作子に対する命令受付状態が、継続時間の違いで区別される少なくとも２種類の命令受付状態のうちいずれであるかを判別し、操作子に対する受付解除状態が所定の終了判断基準時間以上継続されたとき、当該操作子に対する操作が終了したと判断し、操作子に対する操作の開始時点から終了時点までに判別された２種類の命令受付状態の組み合せ内容に基づいて、当該操作子に対する操作に応じて入力された命令を識別するようにした。
【０００８】
従って、多数の命令がそれぞれどの操作子に割り当てられているかということを何ら意識させることなく、１個の操作子により、少なくとも２種類の命令受付状態の組み合せのみを意識させるだけで多数の命令を容易に入力させることができる。
【発明の効果】
【０００９】
上述のように本発明によれば、任意に選択された継続時間で命令を受け付ける命令受付状態と、当該命令受付状態が一時的に解除される受付解除状態とを順次交互に切り替えて操作される操作子に対する命令受付状態が、継続時間の違いで区別される少なくとも２種類の命令受付状態のうちいずれであるかを判別し、操作子に対する受付解除状態が所定の終了判断基準時間以上継続されたとき、当該操作子に対する操作が終了したと判断し、操作子に対する操作の開始時点から終了時点までに判別された２種類の命令受付状態の組み合せ内容に基づいて、当該操作子に対する操作に応じて入力された命令を識別するようにしたことにより、多数の命令がそれぞれどの操作子に割り当てられているかということを何ら意識させることなく、１個の操作子により、少なくとも２種類の命令受付状態の組み合せのみを意識させるだけで多数の命令を容易に入力させることができ、かくして命令入力時の操作性を格段的に向上し得る命令入力装置を実現することができる。
【発明を実施するための最良の形態】
【００１０】
以下図面について、本発明の一実施の形態を詳述する。
【００１１】
図１において、１は全体として本発明を適用した記録再生システムを示し、携帯型記録再生装置２にＵＳＢ（Universal Serial Bus）ケーブル等の所定のケーブル３を介してパーソナルコンピュータ４を接続し得ると共に、当該携帯型記録再生装置２にリモートコントローラ付きイヤホン（以下、これをリモコン付きイヤホンと呼ぶ）５も接続し得るようになされている。
【００１２】
この場合、パーソナルコンピュータ４は、携帯型記録再生装置２にケーブル３を介して接続されると、当該携帯型記録再生装置２に対する音楽データの記録再生を制御し得るようになされている。
【００１３】
従って携帯型記録再生装置２は、パーソナルコンピュータ４から記録コマンドと共に音楽データがケーブル３を介して送信されると、内部に抜差可能に装填されている例えばＭｉｎｉ  Ｄｉｓｃ（ソニー株式会社  登録商標）でなる光磁気ディスクに、その記録コマンドに従って音楽データを記録する。
【００１４】
また携帯型記録再生装置２は、パーソナルコンピュータ４から再生コマンドがケーブル３を介して送信されると、当該再生コマンドに従って光磁気ディスクから音楽データを再生すると共に、当該再生した音楽データをケーブル３を介してパーソナルコンピュータ４に送信することによりパーソナルコンピュータ４のスピーカから音楽データに基づく音楽を出力してユーザに聴かせることができるようになされている。
【００１５】
一方、リモコン付きイヤホン５は、携帯型記録再生装置２に挿着されるピンコネクタ６Ｘにケーブル６Ｙを介して円筒状のリモートコントローラ筐体（以下、これをリモコン筐体と呼ぶ）６Ｚが接続されて形成されたリモートコントローラ部（以下、これをリモコン部と呼ぶ）６と、当該リモコン筐体６Ｙに挿着されたピンコネクタ７Ｘにケーブル７Ｙを介してイヤホン７Ｙが接続されて形成されたイヤホン部７とから構成されている。
【００１６】
またリモコン筐体６Ｙは、一端に、押下操作可能な１個の操作子８が設けられると共に、側面に携帯型記録再生装置２の音楽データに対する再生の状態等の各種情報を表示する表示部（以下、これをリモコン表示部と呼ぶ）９が設けられている。
【００１７】
そして携帯型記録再生装置２は、パーソナルコンピュータ４に替えてリモコン付きイヤホン５が接続された場合、当該リモコン付きイヤホン５の操作子８に対する押下操作の内容を変えることにより多数の命令を入力させ得るようになされており、その押下操作に応じて例えば再生命令が入力されると、当該再生命令に従って光磁気ディスクから音楽データを再生すると共に、当該再生した音楽データに基づく音楽をイヤホン７Ｙを介して出力してユーザに聴かせることができるようになされている。
【００１８】
ここで実際上、パーソナルコンピュータ４は、図２に示すように、ＣＰＵ（Central Processing Unit ）２０にバス２１を介して当該ＣＰＵ２０のワークエリアとして用いられるＲＡＭ（Random
Access Memory）２２、オペレーションシステムや、階層的な音楽管理ソフトウェア、セキュアモジュール及びデバイスドライバからなるプログラムのように各種プログラムをハードディスクに記憶しているハードディスクドライブ２３、キーボード及びマウスでなる操作部２４、表示部２５、スピーカ２６、インターネット等のネットワークに接続するためのネットワークインターフェース部２７、携帯型記録再生装置２とケーブル３を介して接続するための外部機器インターフェース部２８が接続されている。
【００１９】
そしてＣＰＵ２０は、操作部２４を介して入力される各種命令に応じてハードディスクドライブ２３のハードディスクから読み出した各種プログラムをＲＡＭ２２上で展開することにより、当該展開した各種プログラムに従って各回路部を統括的に制御して各種処理を実行し得るようになされている。
【００２０】
すなわちＣＰＵ２０は、音楽データＤ１の取得処理時、表示部２５に所定の取得処理画面を表示し、この状態で操作部２４（例えばマウス）の操作に応じて取得処理画面上で取得命令が入力されると、これに応じてネットワークインターフェース部２７を介してネットワーク上のサーバから所望の音楽データＤ１を取得すると共に、当該取得した音楽データＤ１を例えば所望のカテゴリや所望のアーティストのアルバム単位等でグループ化してハードディスクドライブ２３のハードディスクに記録する。
【００２１】
またＣＰＵ２０は、携帯型記録再生装置２に対する音楽データＤ１の記録制御（以下、これをデータ記録制御と呼ぶ）時、表示部２５に所定の記録制御画面を表示する。
【００２２】
この状態でＣＰＵ２０は、操作部２４（例えばマウス）の操作に応じて記録制御画面上で携帯型記録再生装置２に対する記録対象の音楽データＤ１が例えばグループ単位で指定されると共に記録開始命令が入力されると、ハードディスクドライブ２３のハードディスクから、指定されたグループ単位の１又は複数の音楽データＤ１を読み出すと共に、当該読み出した音楽データＤ１を記録開始命令に応じた記録コマンドと共に外部機器インターフェース部２８からケーブル３を介して携帯型記録再生装置２に送信する。
【００２３】
これによりＣＰＵ２０は、携帯型記録再生装置２において光磁気ディスクにグループ単位の音楽データＤ１を記録させ得るようになされている。
【００２４】
さらにＣＰＵ２０は、携帯型記録再生装置２に対する音楽データＤ１の再生制御（以下、これをデータ再生制御と呼ぶ）時、表示部２５に所定の再生制御画面を表示する。
【００２５】
この状態でＣＰＵ２０は、操作部２４（例えばマウス）の操作に応じて再生制御画面上で携帯型記録再生装置２に対する再生対象の音楽データＤ１が指定されると共に再生開始命令が入力されると、その再生開始命令に応じた再生コマンドを外部機器インターフェース部２８からケーブル３を介して携帯型記録再生装置２に送信する。
【００２６】
この結果、ＣＰＵ２０は、携帯型記録再生装置２において光磁気ディスクから再生された音楽データＤ１がケーブル３を介して送信されると、これを外部機器インターフェース部２８を介して取り込むと共に、当該取り込んだ音楽テータＤ１をデジタルアナログ変換し、得られた音楽信号Ｓ１をスピーカ２６に送出することによりスピーカ２６からその音楽信号Ｓ１に基づく音楽を出力させる。
【００２７】
ところでＣＰＵ２０は、携帯型記録再生装置２に対して例えば音楽データＤ１を再生させている途中に操作部２４（例えばマウス）の操作に応じて再生制御画面上で再生の一時停止命令、再生停止命令、早送り再生命令及び早戻し再生命令を入力させ得るようになされている。
【００２８】
またＣＰＵ２０は、操作部２４（例えばマウス）の操作に応じて再生制御画面上で、予め設定された音楽データＤ１の再生順序に従って、当該現在再生中の音楽データＤ１よりも１曲分次の音楽データＤ１を再生するように再生する音楽データＤ１を切り替える次曲再生命令、現在再生中の音楽データＤ１よりも１曲分前の音楽データＤ１を再生するように再生する音楽データＤ１を切り替える前曲再生命令、現在再生中の音楽データＤ１が属するグループよりも１グループ分次のグループに属する先頭の音楽データＤ１を再生するように再生する音楽データＤ１を切り替える次グループ再生命令及び現在再生中の音楽データＤ１が属するグループよりも１グループ分前のグループに属する先頭の音楽データＤ１を再生するように再生する音楽データＤ１を切り替える前グループ再生命令等も入力させ得るようになされている。
【００２９】
従ってＣＰＵ２０は、操作部２４の操作に応じて、かかる一時停止命令、再生停止命令、早送り再生命令、早戻し再生命令、次曲再生命令、前曲再生命令、次グループ再生命令及び前グループ再生命令等が入力されると、これら各種命令に応じた再生コマンド（以下、これを特に再生制御コマンドと呼ぶ）を外部機器インターフェース部２８からケーブル３を介して携帯型記録再生装置２に送信する。
【００３０】
これによりＣＰＵ２０は、携帯型記録再生装置２に対して、音楽データＤ１の再生中に再生制御コマンドに応じた再生の一時停止や再生停止、早送り再生、早戻し再生等を実行させることができ、かくしてあたかも携帯型記録再生装置２に対してリモートコントローラのように機能して各種再生動作を実行させ得るようになされている。
【００３１】
因みにＣＰＵ２０は、データ記録制御時及びデータ再生制御時、ハードディスクドライブ２３のハードディスクから階層的な音楽管理ソフトウェア、セキュアモジュール及びデバイスドライバを読み出す。
【００３２】
そしてＣＰＵ２０は、音楽管理ソフトウェアに従って各種命令に応じた各種コマンドを生成すると共に、その際に、セキュアモジュールに従って、制御対象の携帯型記録再生装置２が音楽データＤ１の記録再生を許可するように予めパーソナルコンピュータ４に対して登録されているか否かや記録対象及び再生対象の音楽データＤ１に対して記録及び再生が許可されているか否か等を判別し、当該携帯型記録再生装置２と音楽データＤ１の記録及び再生とを認証したときのみ、デバイスドライバに従って各種コマンドを携帯型記録再生装置２に送信して上述した一連のデータ記録制御処理及びデータ再生制御処理を実行している。
【００３３】
これによりＣＰＵ２０は、音楽データＤ１が第三者の使用する携帯型記録再生装置で許可なく記録再生され、又は音楽データＤ１が正規の携帯型記録再生装置２に記録再生の制限を無視して不当に記録再生されること等を防止し、かくして音楽データＤ１に対する著作権を適確に保護し得るようになされている。
【００３４】
また携帯型記録再生装置２は、図３に示すように、当該携帯型記録再生装置２全体を統括的に制御するシステムコントローラ３０を有し、音楽データＤ１の記録時、パーソナルコンピュータ４から記録コマンドと共に音楽データＤ１がケーブル３を介して送信されると、当該記録コマンドをバッファ３１を介してシステムコントローラ３０に取り込むと共に、音楽データＤ１をバッファ３１を介してエンコーダ３２に取り込む。
【００３５】
システムコントローラ３０は、記録コマンドに従ってサーボ回路３３及びモータ駆動部３４を順次介してスピンドルモータ３５及び光ピックアップ３６を駆動制御することにより当該スピンドルモータ３５を介して光磁気ディスク３７を回転させると共に、光ピックアップ３６を光磁気ディスク３７の一面側で所定の記録開始位置に移動させる。
【００３６】
またシステムコントローラ３０は、このとき記録コマンドに従ってレーザドライバ３８を介して光ピックアップ３６の光源を記録用に制御することにより、当該光ピックアップ３６の光源に記録用出力の光ビームを発射させて光磁気ディスク３７の一面に照射させる。
【００３７】
そしてエンコーダ３２は、パーソナルコンピュータ４から与えられた音楽データＤ１に対して圧縮符号化及び変調等の所定の記録処理を施し、得られた記録用音楽信号Ｓ２を磁気ヘッドドライバ３９に送出する。
【００３８】
磁気ヘッドドライバ３９は、光ピックアップ３６と光磁気ディスク３７の他面側で対向させて配置された磁気ヘッド４０を記録用音楽信号Ｓ２に従って駆動制御することにより、当該光磁気ディスク３７に対する光ビームの照射位置を磁界変調により磁化し、かくして光磁気ディスク３７に音楽データＤ１を記録する。
【００３９】
またシステムコントローラ３０は、音楽データＤ１の再生時、パーソナルコンピュータ４から再生コマンドがケーブル３を介して送信されると、当該再生コマンドをバッファ３１を介して取り込む。
【００４０】
そしてシステムコントローラ３０は、再生コマンドに従ってサーボ回路３３及びモータ駆動部３４を順次介してスピンドルモータ３５及び光ピックアップ３６を駆動制御することにより当該スピンドルモータ３５を介して光磁気ディスク３７を回転させると共に、光ピックアップ３６を光磁気ディスク３７の一面側で所定の再生開始位置に移動させる。
【００４１】
またシステムコントローラ３０は、再生コマンドに従ってレーザドライバ３８を介して光ピックアップ３６の光源を再生用に制御する。
【００４２】
これにより光ピックアップ３６は、光源により再生用出力の光ビームを発射して光磁気ディスク３７の一面に照射すると共に、当該一面で光ビームが反射して得られる反射光を受光して光電変換することにより得られた光電信号Ｓ３をＲＦアンプ４１に送出する。
【００４３】
ＲＦアンプ４１は、光電信号Ｓ３を音楽データＤ１に相当する再生音楽信号Ｓ４と、光磁気ディスク３７に対する光ビームの照射位置（すなわち、この場合は音楽データＤ１の再生位置）のアドレス情報に相当する再生アドレス信号Ｓ５とに分離し、これら再生音楽信号Ｓ４及び再生アドレス信号Ｓ５をデコーダ４２に送出する。
【００４４】
デコーダ４２は、再生アドレス信号Ｓ５に対して所定の再生処理を施し、得られたアドレス情報に従って再生音楽信号Ｓ４を所定単位毎に区切ると共に、当該所定単位毎の再生音楽信号Ｓ４に対して復調及び復号等の所定の再生処理を施し、得られた音楽データＤ１をバッファ３１からケーブル３を介してパーソナルコンピュータ４に送信する。
【００４５】
このようにしてシステムコントローラ３０は、光磁気ディスク３７に対して音楽データＤ１を記録再生することができる。
【００４６】
因みに光ピックアップ３６は、音楽データＤ１の記録時及び再生時、光磁気ディスク３７の一面で光ビームが反射して得られる反射光を受光して光電変換し、得られた光電信号Ｓ６をＲＦアンプ４１に送出している。
【００４７】
従ってＲＦアンプ４１は、音楽データＤ１の記録時及び再生時には、光ピックアップ３６から与えられた光電信号Ｓ３及びＳ６に基づいてトラッキングエラー信号Ｓ７及びフォーカスエラー信号Ｓ８を生成してサーボ回路３３に送出する。
【００４８】
そしてサーボ回路４１は、トラッキングエラー信号Ｓ７及びフォーカスエラー信号Ｓ８に従って駆動回路３４を介して光ピックアップ３６を駆動制御することにより光磁気ディスク３７の一面に照射する光ビームのトラッキング及びフォーカスを調整し、かくして光磁気ディスク３７に対して音楽データＤ１を適確に記録再生し得るようになされている。
【００４９】
ところでＲＦアンプ４１は、音楽データＤ１の記録時、光電信号Ｓ６から光磁気ディスク３７に対するレーザ光の照射位置（すなわち、この場合は音楽データＤ１の記録位置）のアドレスを示す再生アドレス信号Ｓ９を分離してアドレス検出部４３に送出している。
【００５０】
アドレス検出部４３は、再生アドレス信号Ｓ９に対して復調等の所定の再生処理を施し、得られたアドレス情報をシステムコントローラ３０に送出する。
【００５１】
システムコントローラ３０は、光磁気ディスク３７に音楽データＤ１を記録すると、アドレス検出部４２から与えられたアドレス情報のうち音楽データＤ１毎の記録開始位置を示す開始アドレス情報及び記録終了位置を示す終了アドレス情報と、音楽データＤ１のグループ毎の記録開始位置を示す開始アドレス情報及び記録終了位置を示す終了アドレス情報と、記録コマンドに基づいて得られた当該音楽データＤ１に基づく音楽の曲名及びグループ名等の情報とを対応付けて、記録対象の音楽データＤ１に対する再生用付加情報（すなわち、ＴＯＣ（Table Of Contents ））を生成し、これを付加情報データＤ５としてエンコーダ３２に送出する。
【００５２】
そしてシステムコントローラ３０は、サーボ回路３３及びモータ駆動部３４を順次介して光ピックアップ３６を駆動制御することにより当該光ピックアップ３６を光磁気ディスク３７の一面側で例えば最内周のリードインエリアと対向させるように移動させ、レーザ光をそのリードインエリアに照射させる。
【００５３】
この状態でエンコーダ３２は、付加情報データＤ５に対して変調等の所定の記録処理を施し、得られた記録用付加情報信号Ｓ１０を磁気ヘッドドライバ３９に送出する。
【００５４】
これにより磁気ヘッドドライバ３９は、記録用付加情報信号Ｓ１０に従って磁気ヘッド４０を駆動制御することにより、光磁気ディスク３７に対するレーザ光の照射位置（すなわち、リードインエリア）を磁界変調により磁化し、かくして光磁気ディスク３７に音楽データＤ１に対する再生用付加情報を記録する。
【００５５】
そしてシステムコントローラ３０は、音楽データＤ１の再生時、再生処理を開始すると、まずサーボ回路３３及びモータ駆動部３４を順次介して光ピックアップ３６を駆動制御することにより当該光ピックアップ３６を光磁気ディスク３７の一面のリードインエリアと対向させるように移動させ、レーザ光をそのリードインエリアに照射させる。
【００５６】
ＲＦアンプ４１は、このとき光ピックアップ３６から与えられた光電信号Ｓ３を再生用付加情報に相当する再生付加情報信号Ｓ１１及び再生アドレス信号Ｓ５に分離し、これら再生付加情報信号Ｓ１１及び再生アドレス信号Ｓ５をデコーダ４２に送出すると共に、再生アドレス信号Ｓ５をアドレス検出部４３に送出する。
【００５７】
デコーダ４２は、再生アドレス信号Ｓ５に対して所定の再生処理を施し、得られたアドレス情報に従って再生付加情報信号Ｓ１１を所定単位毎に区切ると共に、当該所定単位毎の再生付加情報信号Ｓ１１に対して復調等の所定の再生処理を施し、得られた付加情報データＤ５をシステムコントローラ３０に送出する。
【００５８】
これによりシステムコントローラ３０は、デコーダ４２から与えられた付加情報データＤ５に基づく再生用付加情報に従って、音楽データＤ１に対応する曲名や開始アドレス情報及び終了アドレス情報、音楽データＤ１のグループ毎のグループ名やその開始アドレス情報及び終了アドレス情報を認識し得るようになされている。
【００５９】
またシステムコントローラ３０は、音楽データＤ１の再生時にも、上述した音楽データＤ１の記録時と同様に動作しているアドレス検出部４３からアドレス情報が与えられている。
【００６０】
従ってシステムコントローラ３０は、音楽テータＤ１の再生中にパーソナルコンピュータ４からケーブル３を介して送信された、次曲再生命令、前曲再生命令、次グループ再生命令及び前グループ再生命令を示す再生制御コマンドをバッファ３１を介して取り込んだときには、アドレス検出部４３から与えられているアドレス情報と、再生用付加情報とに基づいて、当該再生制御コマンドの示す命令に応じたアドレス情報（すなわち、現在再生中の音楽データＤ１に替えて再生すべき音楽データＤ１に対する開始アドレス情報）を特定する。
【００６１】
そしてシステムコントローラ３０は、その特定したアドレス情報に基づいて、サーボ回路３３及びモータ駆動部３４を順次介して光ピックアップ３６を駆動制御してシークさせることにより現在再生中の音楽データＤ１に替えて指定された音楽データＤ１を再生し得るようになされている。
【００６２】
またシステムコントローラ３０は、音楽テータＤ１の再生中にパーソナルコンピュータ４からケーブル３を介して送信された、早送り再生命令及び早戻し再生命令を示す再生制御コマンドをバッファ３１を介して取り込んだときには、当該再生制御コマンドの示す命令に応じた方向に従って、サーボ回路３３及びモータ駆動部３４を順次介して光ピックアップ３６を駆動制御して高速に移動させることにより現在再生中の音楽データＤ１を１倍速再生よりも速い所定の倍速で早送り再生及び早戻し再生し得るようになされている。
【００６３】
さらにシステムコントローラ３０は、音楽テータＤ１の再生中にパーソナルコンピュータ４からケーブル３を介して送信された、一時停止命令を示す再生制御コマンドをバッファ３１を介して取り込んだときには、当該再生制御コマンドに従って、サーボ回路３３及びモータ駆動部３４を順次介して光ピックアップ３６の移動を停止させると共に、デコーダ４２の動作を停止させることにより、現在再生中の音楽データＤ１を一時停止し得るようになされている。
【００６４】
因みにシステムコントローラ３０は、音楽テータＤ１を一時停止再生したときには、その時点にアドレス検出部４３から与えられたアドレス情報を保持することにより、この後、一時停止を解除したときに、そのアドレス情報の示す位置から音楽データＤ１に対する再生を再開する。
【００６５】
そしてシステムコントローラ３０は、音楽テータＤ１の再生中にパーソナルコンピュータ４からケーブル３を介して送信された再生停止命令を示す再生制御コマンドをバッファ３１を介して取り込んだときには、その時点でサーボ回路３３及びモータ駆動部３４を順次介して光ピックアップ３６及びスピンドルモータ３５の動作を停止させると共に、ＲＦアンプ４１及びデコーダ４２等の動作も停止させることにより音楽データＤ１の再生を停止する。
【００６６】
一方、リモコン付きイヤホン５のリモコン部６には、図４に示すように、携帯型記録再生装置２によって再生された音楽データＤ１に相当するアナログの音楽信号Ｓ１５をイヤホン部７のイヤホン７Ｚに送出するための信号線４５が収納されると共に、操作子８に対する押下操作に応じた命令を携帯型記録再生装置２に入力するための一対の命令入力線４６及び４７が収納されている。
【００６７】
またリモコン筐体６Ｚの内部には、操作子８と対向させて例えばダイヤフラム構成のスイッチ５０が設けられ、ユーザによって任意に選択された継続時間に合わせて操作子８の押下されている期間（すなわち、操作子８が指で押下され始めた時点から指が離されて押下が押下前の状態に戻った時点までの期間）だけ当該スイッチ５０により、一対の命令入力線４６及び４７の互いに開放されている一端同士を導通させるようになされている。
【００６８】
従って携帯型記録再生装置２（図３）のシステムコントローラ３０は、当該携帯型記録再生装置２に対してパーソナルコンピュータ４に替えてリモコン付きイヤホン５が接続された場合、所定レベルの命令検出用信号Ｓ１６を継続的にバッファ３１を介してリモコン部６の一方の命令入力線４６に供給する。
【００６９】
この状態でシステムコントローラ３０は、リモコン部６の操作子８が押下されないときには、他方の命令入力線４７から何ら信号が出力されないことにより命令検出用信号Ｓ１６を取り込まず、当該操作子８が押下されたときのみ一方の命令入力線４６からスイッチ５０及び他方の命令入力線４７を順次介して戻る命令検出用信号Ｓ１６をバッファ３１を介して取り込む。
【００７０】
またシステムコントローラ３０は、リモコン部６の操作子８が押下されるという、命令を受け付ける状態（以下、これを命令受付状態と呼ぶ）が継続された時間（以下、これを受付状態継続時間と呼ぶ）を、内部のカウンタにより、命令検出用信号Ｓ１６を取り込み始めた時点からその命令検出用信号Ｓ１６を取り込まなくなった時点（すなわち、リモコン部６からの命令検出用信号Ｓ１６の出力が途絶えた時点）までの時間として計測する。
【００７１】
さらにシステムコントローラ３０は、リモコン部６の操作子８に対して一旦押下された後の押下前の状態に戻されるという、命令の受け付けが解除された状態（以下、これを受付解除状態と呼ぶ）が継続された時間（以下、これを解除状態継続時間と呼ぶ）を、命令検出用信号Ｓ１６を取り込まなくなった時点から再び命令検出用信号Ｓ１６を取り込み始めた時点までの時間として計測する。
【００７２】
そしてシステムコントローラ３０は、命令検出用信号Ｓ１６を取り込んだときには、これに応じて計測した受付状態継続時間を、継続時間の違いで区別される命令受付状態の種類を判別するための予め選定された所定の状態判別基準時間と比較する。
【００７３】
この結果、システムコントローラ３０は、受付状態継続時間が状態判別基準時間よりも短いときには、当該状態判別基準時間に満たない時間だけ操作子８が押下されたと判断して当該操作子８に対する命令受付状態が状態判別基準時間よりも短い時間継続された第１の命令受付状態であると判別する。
【００７４】
またシステムコントローラ３０は、受付状態継続時間が状態判別基準時間以上のときには、当該状態判別基準時間以上操作子８が押下されたと判断して当該操作子８の命令受付状態が状態判別基準時間以上継続された第２の命令受付状態であると判別する。
【００７５】
これに加えてシステムコントローラ３０は、命令検出用信号Ｓ１６を取り込まなくなったときには、これに応じて計測した解除状態継続時間を、押下操作の終了を判断するための予め選定された所定の終了判断基準時間と比較する。
【００７６】
この結果、システムコントローラ３０は、解除状態継続時間が終了判断基準時間よりも短いときには、操作子８に対する間欠的な複数回の押下の合間に命令受付状態（すなわち、押下）が一時的に解除されただけであり、当該操作子８に対する押下操作が実行されている途中であると判断する。
【００７７】
またシステムコントローラ３０は、解除状態継続時間が終了判断基準時間以上のときには、リモコン部６の操作子８が終了判断基準時間を経過しても再び押下されないことにより、受付解除状態が一時的なものではなく操作子８に対する押下操作を終了させるためのものであり、当該操作子８に対する押下操作が終了したと判断する。
【００７８】
このようにしてシステムコントローラ３０は、リモコン部６の操作子８に対する押下操作の開始時点から終了時点までの間に判別した第１及び第２の命令受付状態の組み合せ内容に応じて当該操作子８に対する押下操作に応じて入力された命令を識別するようになされている。
【００７９】
すなわちシステムコントローラ３０は、例えば図５に示すように、リモコン部６の操作子８が状態判別基準時間Ｔ１よりも短い時間だけ押下されて第１の命令受付状態となった後、押下前の状態に戻されて受付解除状態に移行してそのまま終了判断基準時間Ｔ２以上継続するような手順で押下操作されると、かかる手順の押下操作に対して予め割り当てられた再生命令及び一時停止命令を当該押下操作に応じて入力された命令として識別する。
【００８０】
因みにシステムコントローラ３０は、音楽データＤ１を再生してはいない状態で操作子８に対して図５に示す押下操作が実行されると、当該押下操作に応じて入力された命令を再生命令と識別する。
【００８１】
これに対してシステムコントローラ３０は、音楽データＤ１の再生中に操作子８に対して図５に示す押下操作が実行されると、当該押下操作に応じて入力された命令を一時停止命令と識別する。
【００８２】
またシステムコントローラ３０は、例えば図６に示すように、リモコン部６の操作子８が状態判別基準時間Ｔ１以上押下された第２の命令受付状態となった後、押下前の状態に戻されて受付解除状態に移行してそのまま終了判断基準時間Ｔ２以上継続するような手順で押下操作されると、かかる手順の押下操作に対して予め割り当てられた再生停止命令を当該押下操作に応じて入力された命令として識別する。
【００８３】
かかる構成に加えてシステムコントローラ３０は、例えば図７に示すように、リモコン部６の操作子８が状態判別基準時間Ｔ１よりも短い時間だけ押下された第１の命令受付状態となった後、終了判断基準時間Ｔ２よりも短い間時だけ一時的に押下前の状態に戻されて受付解除状態に移行し、引き続き状態判別基準時間Ｔ１以上押下された第２の命令受付状態に移行した後、押下前の状態に戻されて再び受付解除状態に移行するものの、その受付解除状態が終了判断基準時間Ｔ２以上継続するような、第１及び第２の命令受付状態の回数及び移行の順番の組み合せ内容で押下操作されると、かかる内容の押下操作に対して予め割り当てられた早送り再生命令を当該押下操作に応じて入力された命令として識別する。
【００８４】
この他にシステムコントローラ３０は、例えば、操作子８が第１の命令受付状態、一時的な受付解除状態、第１の命令受付状態、一時的な受付解除状態、第２の命令受付状態及び操作終了用の受付解除状態に順次移行するような、第１及び第２の命令受付状態の回数及び移行の順番の組み合せ内容で押下操作されたときには、かかる内容の押下操作に対して予め割り当てられた早戻し再生命令を当該押下操作に応じて入力された命令として識別する。
【００８５】
またシステムコントローラ３０は、操作子８が第１の命令受付状態、一時的な受付解除状態、第１の命令受付状態及び操作終了用の受付解除状態に順次移行するような第１の命令受付状態の回数のみの組み合せ内容で押下操作されたときには、かかる内容の押下操作に対して予め割り当てられた次曲再生命令を当該押下操作に応じて入力された命令として識別する。
【００８６】
さらにシステムコントローラ３０は、操作子８が第１の命令受付状態、一時的な受付解除状態、第１の命令受付状態、一時的な受付解除状態、第１の命令受付状態及び操作終了用の受付解除状態に順次移行するような第１の命令受付状態の回数のみの組み合せ内容で押下操作されたときには、かかる内容の押下操作に対して予め割り当てられた前曲再生命令を当該押下操作に応じて入力された命令として識別する。
【００８７】
さらにシステムコントローラ３０は、操作子８が第２の命令受付状態、一時的な受付解除状態、第２の命令受付状態及び操作終了用の受付解除状態に順次移行するような第２の命令受付状態の回数のみの組み合せ内容で押下操作されたときには、かかる内容の押下操作に対して予め割り当てられた次グループ再生命令を当該押下操作に応じて入力された命令として識別する。
【００８８】
さらにシステムコントローラ３０は、操作子８が第２の命令受付状態、一時的な受付解除状態、第２の命令受付状態、一時的な受付解除状態、第２の命令受付状態及び操作終了用の受付解除状態に順次移行するような第２の命令受付状態の回数のみの組み合せ内容で押下操作されたときには、かかる内容の押下操作に対して予め割り当てられた前グループ再生命令を当該押下操作に応じて入力された命令として識別する。
【００８９】
このようにしてシステムコントローラ３０は、１個の操作子８を、ユーザによって任意に選択された継続時間で命令を受け付ける命令受付状態（すなわち、押下）と、その命令受付状態を一時的に解除する受付解除状態とを順次交互に繰り返すように押下操作させ、当該押下操作の開始時点から終了時点までの間で操作子８の命令受付状態（すなわち、第１及び第２の命令受付状態）を判別すると共に、当該判別した第１及び第２の命令受付状態の回数及び移行の順番の併用可能な組み合せ内容に基づいて、当該操作子８に対する押下操作に応じて入力された命令を識別し得るようになされている。
【００９０】
そしてシステムコントローラ３０は、リモコン部６の操作子８に対して各種押下操作が実行されて再生命令、一時停止命令、再生停止命令、早送り再生命令、早戻し再生命令、次曲再生命令、前曲再生命令、次グループ再生命令及び前グループ再生命令が入力されると、上述した携帯型記録再生装置２にパーソナルコンピュータ４が接続された際の音楽データＤ１の再生時と同様に動作することにより光磁気ディスク３７から音楽データＤ１を、入力された命令に応じた再生状態で再生するものの、当該音楽データＤ１をバッファ３１でデジタルアナログ変換し、得られた音声信号Ｓ１５をリモコン部６の信号線４５を介してイヤホン部７のイヤホン７Ｚに送出する。
【００９１】
これによりシステムコントローラ３０は、音楽信号Ｓ１５に基づく音楽をイヤホン７Ｚを介してユーザに聴かせることができるようになされている。
【００９２】
ところでシステムコントローラ３０は、図８に示すように、リモコン部６の操作子８が押下操作されたときには、その押下操作に応じて入力された命令を識別した時点で、当該押下操作中の操作子８に対する第１及び第２の命令受付状態を想起させる音でなり、その時点に入力された命令を通知するための命令通知音の命令通知音データＤ７を生成する。
【００９３】
すなわちシステムコントローラ３０は、操作子８に対する押下操作中に当該操作子８の命令受付状態が比較的時間の短い第１の命令受付状態となったときには、当該第１の命令受付状態を例えば「ピッ」という短音で表し、その操作子８の命令受付状態が第１の命令受付状態よりも時間的に長い第２の命令受付状態となったときには、当該第２の命令受付状態を例えば「ピー」という長音で表して、これら短音及び長音を押下操作中の操作子８に対する第１及び第２の命令受付状態の回数及び移行の順番で組み合せて命令通知音を生成する。
【００９４】
因みに図８に示す押下操作は、操作子８の第１の命令受付状態を「Ａ」で示すと共に、第２の命令受付状態を「Ｂ」で示し、さらに操作終了用の受付解除状態を「Ｃ」で示し、押下操作中の操作子８における第１及び第２の命令受付状態から操作終了用の受付解除状態への移行の順番を矢印で辿るように示している。
【００９５】
そしてシステムコントローラ３０は、命令通知音データＤ７をバッファ３１においてデジタルアナログ変換し、得られた命令通知音信号Ｓ１７をリモコン部６の信号線４５を介してイヤホン７Ｚに送出することにより当該命令通知音信号Ｓ１７に基づく命令通知音をイヤホン７Ｚを介してユーザに聴かせ、かくしてユーザに自分の入力した命令を操作子８に対する押下操作の内容と共に確認させ得るようになされている。
【００９６】
ここで実際上システムコントローラ３０は、携帯型記録再生装置２にリモコン付きイヤホン５が接続されると、内部のメモリに予め格納している入力命令識別プログラムに従って図９に示す入力命令識別処理手順ＲＴ１に開始ステップから入って続くステップＳＰ１に移る。
【００９７】
ステップＳＰ１においてシステムコントローラ３０は、リモコン部６に命令検出用信号Ｓ１６を送出した状態で操作子８に対する押下操作が開始されたか否かを判断する。
【００９８】
このステップＳＰ１において否定結果が得られると、このことは未だ命令検出用信号Ｓ１６を取り込み始めてはいないことにより、ユーザによって音楽を聴くように要求されてはいない、又はすでに再生中の音楽データＤ１に対して再生状態を変更するように要求されてはいないことを表しており、このときシステムコントローラ３０はこのステップＳＰ１の処理を繰り返して、操作子８に対する押下操作の開始を待ち受ける。
【００９９】
そしてステップＳＰ１において肯定結果が得られると、このことは命令検出用信号Ｓ１６を取り込み始めたことにより、ユーザによって音楽を聴くように要求されたこと、又はすでに再生している音楽データＤ１の再生状態を変更するように要求されたことを表しており、このときシステムコントローラ３０は続くステップＳＰ２に移る。
【０１００】
ステップＳＰ２においてシステムコントローラ３０は、操作子８の押下に応じた命令受付状態の種類（すなわち、第１及び第２の命令受付状態のいずれか）を判別して、続くステップＳＰ３に移る。
【０１０１】
ステップＳＰ３においてシステムコントローラ３０は、操作子８に対する押下操作が終了したか否かを判断する。
【０１０２】
このステップＳＰ３において否定結果が得られると、このことは操作子８が第１及び第２の命令受付状態から一時的な受付解除状態に移行したことにより押下操作の途中であることを表しており、このときシステムコントローラ３０はステップＳＰ２に戻り、ステップＳＰ３において肯定結果が得られるまでの間は、ステップＳＰ２及びステップＳＰ３の処理を循環的に繰り返す。
【０１０３】
そしてステップＳＰ３において肯定結果が得られると、このことは操作子８が第１及び第２の命令受付状態から操作終了用の受付解除状態に移行したことを表しており、このときシステムコントローラ３０はステップＳＰ４に移る。
【０１０４】
ステップＳＰ４においてシステムコントローラ３０は、操作子８に対する押下操作の開始時点から終了時点までの間に判別した第１及び第２の命令受付状態の回数及び移行の順番の組み合せ内容に基づいて、その押下操作に応じて入力された命令を識別して、ステップＳＰ５に移る。
【０１０５】
ステップＳＰ５においてシステムコントローラ３０は、操作子８に対する押下操作に応じて入力された命令を通知する命令通知音をイヤホン７Ｚから出力することにより、当該押下操作に応じて入力された命令をユーザに通知して、ステップＳＰ６に移る。
【０１０６】
ステップＳＰ６においてシステムコントローラ３０は、音楽データＤ１が出力可能な状態であるか否かを判断する。
【０１０７】
このステップＳＰ６において否定結果が得られると、このことは未だ携帯型記録再生装置２にリモコン付きイヤホン５が接続された状態で、音楽データＤ１の再生途中であること又はこの後音楽データＤ１が再生される可能性があることを表しており、このときシステムコントローラ３０はステップＳＰ１に戻る。
【０１０８】
これによりシステムコントローラ３０は、この後ステップＳＰ６において肯定結果が得られるまでの間は、ステップＳＰ１乃至ステップＳＰ６の処理を循環的に繰り返すことにより、操作子８が押下操作される毎に、当該押下操作に応じて入力された命令を識別してその命令を音楽データＤ１の再生処理に反映させる。
【０１０９】
そしてこのステップＳＰ６において肯定結果が得られると、このことは例えば携帯型記録再生装置２からリモコン付きイヤホン５が外されたことを表しており、このときシステムコントローラ３０は続くステップＳＰ７に移ってこの入力命令識別処理手順ＲＴ１を終了する。
【０１１０】
なおこの実施の形態の場合、システムコントローラ３０は、光磁気ディスク３７から音楽データＤ１を再生したときには、デコーダ４２で、音楽データＤ１に予め付加されていたタイムコードを抽出し、当該抽出したタイムコードと共に再生の状態等を表す表示子等から再生状態通知画面データＤ８を生成し、当該生成した再生状態通知画面データＤ８をバッファ３１を介してリモコン部６の表示部９に送出する。
【０１１１】
これによりシステムコントローラ３０は、リモコン部６の表示部９に再生状態通知画面データＤ８に基づく再生状態通知画面を表示してユーザに音楽データＤ１の再生状態等を通知し得るようになされている。
【０１１２】
以上の構成において、携帯型記録再生装置２は、リモコン付きイヤホン５の１個の操作子８が押下操作されると（ステップＳＰ１）、当該操作子８が押下されたときの命令受付状態が第１及び第２の命令受付状態のいずれであるかを判別すると共に（ステップＳＰ２）、当該操作子８が第１及び第２の命令受付状態から操作終了用の受付解除状態に移行したか否かを判断する（ステップＳＰ３）。
【０１１３】
そして携帯型記録再生装置２は、操作子８が押下操作されている間に当該操作子８が順次移行した命令受付状態の種類を判別した後、その操作子８が第１及び第２の命令受付状態から操作終了用の受付解除状態に移行したことで押下操作が終了したと判断すると、当該押下操作の開始時点から終了時点までの間に操作子８の命令受付状態として判別された第１及び第２の命令受付状態に対する回数及び移行の順番の組み合せ内容に基づいて、その押下操作に応じて入力された命令を識別する（ステップＳＰ４）。
【０１１４】
従って携帯型記録再生装置２は、１個の操作子８を押下操作の開始時点から終了時点までの間に一時的な受付解除状態を介して何度でも間欠的に押下させ得るようにし、当該操作子８が押下されたときの命令受付状態を継続時間の異なる第１及び第２の命令受付状態に区別して判別するため、１個の操作子８を第１及び第２の命令受付状態に対する回数及び移行の順番の種々の組み合せ内容で押下操作させて多数の命令を容易に入力させることができる。
【０１１５】
また携帯型記録再生装置２は、操作子８を第１及び第２の命令受付状態に対する回数及び移行の順番を併用した種々の組み合せ内容で押下操作させることで、当該１個の操作子８に対して入力可能な命令の数に応じて単に押下回数を増加させて押下操作させるわけではなく、極力少ない押下回数で多数の命令をさらに容易に入力させることができる。
【０１１６】
さらに携帯型記録再生装置２は、操作子８の命令受付状態を継続時間の異なる２種類の第１及び第２の命令受付状態に切り分けて区別し、当該第１及び第２の命令受付状態に対する回数及び移行の順番の組み合せ内容で押下操作させるため、ユーザに比較的単純なリズムを刻むように操作子８を押下させて命令を入力させることができる。
【０１１７】
以上の構成によれば、リモコン付きイヤホン５の１個の操作子８が命令受付状態と一時的な受付解除状態とを順次交互に繰り返すように押下操作されると、当該操作子８の命令受付状態が第１及び第２の命令受付状態のいずれであるかを判別すると共に、当該操作子８が第１及び第２の命令受付状態から操作終了用の受付解除状態に移行したか否かを判断し、当該操作終了用の受付解除状態に移行して押下操作が終了したと判断すると、その押下操作の開始時点から終了時点までの間に判別した第１及び第２の命令受付状態に対する回数及び移行の順番の組み合せ内容に基づいて、押下操作に応じて入力された命令を識別するようにしたことにより、多数の命令がそれぞれどの操作子に割り当てられているかということを何ら意識させることなく、１個の操作子８により、少なくとも２種類の第１及び第２の命令受付状態の組み合せのみを意識させるだけで多数の命令を容易に入力させることができ、かくして命令入力時の操作性を格段的に向上し得る携帯型記録再生装置を実現することができる。
【０１１８】
また携帯型記録再生装置２は、１個の操作子８で多数の命令を入力させることができる分、従来の携帯型記録再生装置２に比べて操作子の数を減らしてリモコン部６を小型化し得、又はリモコン部６を大型化することなく、従来、操作子が配置されていたスペースを他の機能の追加に容易かつ有効に利用させることができる。
【０１１９】
さらに携帯型記録再生装置２は、操作子８に対する押下操作が終了した時点でその押下操作に応じて入力された命令を命令通知音によってユーザに通知することで、命令を入力するために操作子８が複数回押下される場合でも、その命令が正しく入力されたか否かを容易に確認させることができる。
【０１２０】
そして携帯型記録再生装置２は、操作子８の押下操作に応じて入力された命令を通知する場合、当該操作子８に対する第１及び第２の命令受付状態（すなわち、押下の状態）を想起させる短音及び長音をその第１及び第２の命令受付状態の移行の順番に従って組み合せて命令通知音とするため、押下操作の回数が増えるにつれて、押下操作に応じて入力し得る命令をその押下操作における操作子８の押下の状態と当該状態の押下の順番とに対応付けて容易かつ適確に認識させることができ、操作子８が所望の命令を入力するための手順とは異なる手順で押下されて誤った命令が入力されることを極力減らすこともできる。
【０１２１】
なお上述の実施の形態においては、操作子８の押下に応じた命令受付状態を継続時間の違いで２種類の第１及び第２の命令受付状態に区別して判別するようにした場合について述べたが、本発明はこれに限らず、操作子８の押下に応じた命令受付状態を継続時間の違いで３種類以上の命令受付状態に区別して判別するようにしても良い。このようにすれば、上述した第１の実施の形態よりも、操作子８に対する極力少ない押下回数でさらに多数の命令を容易に入力することができる。
【０１２２】
また上述の実施の形態においては、操作子８に対する押下操作の開始時点から終了時点までの間に判別した第１及び第２の命令受付状態の回数及び移行の順番の組み合せ内容に基づいて、当該押下操作に応じて入力された命令を識別するようにした場合について述べたが、本発明はこれに限らず、操作子８に対する押下操作の開始時点から終了時点までの間に判別した第１及び第２の命令受付状態の回数のみの組み合せ内容に基づいて、当該押下操作に応じて入力された命令を識別するようにしても良い。このようにしても１個の操作子８に対する押下操作で多数の命令を入力することができる。
【０１２３】
さらに上述の実施の形態においては、操作子８の押下に応じた命令受付状態を予め選定された状態判別基準時間を基準とした継続時間の違いで２種類の第１及び第２の命令受付状態に区別して判別すると共に、操作子８を押下から押下前の状態に戻す一時的な受付解除状態も予め選定させた終了判断基準時間を基準として判断するようにした場合について述べたが、本発明はこれに限らず、操作子８の押下に応じた命令受付状態をユーザに任意に選定させた状態判別基準時間を基準とした継続時間の違いで少なくとも２種類以上の命令受付状態に区別して判別すると共に、操作子８を押下から押下前の状態に戻す一時的な受付解除状態もユーザに任意に選定させた終了判断基準時間を基準として判断するようにしても良い。このようにすれば、上述した第１の実施の形態によって得られる効果に加え、ユーザの指の動き具合や操作の好み等に応じて操作子８を適確に押下操作させることができる。
【０１２４】
さらに上述の実施の形態においては、携帯型記録再生装置２に対してリモコン付きイヤホン５の操作子８を介して各種命令を入力させるようにした場合について述べたが、本発明はこれに限らず、携帯型記録再生装置２に対して当該携帯型記録再生装置２の本体に設けられた１個の操作子を介して上述した実施の形態の場合と同様に各種命令を入力させるようにしても良い。このようにしても上述した実施の形態と同様の効果を得ることができる。
【０１２５】
さらに上述の実施の形態においては、操作子８に対する押下操作が終了した時点に当該押下操作に応じて入力された命令をイヤホン７Ｚを介して通知するようにした場合について述べたが、本発明はこれに限らず、押下操作に応じて入力された命令を、リモコン部６の表示部９を介してその命令の名称を表示して通知するようにしても良い。
【０１２６】
さらに上述の実施の形態においては、携帯型記録再生装置２においてシステムコントローラ３０内部のメモリに予め格納している入力命令識別プログラムに従って図９について上述した入力命令識別処理手順ＲＴ１を実行するようにした場合について述べたが、本発明はこれに限らず、入力命令識別プログラムをローカルエリアネットワークやインターネット、デジタル衛星放送等の有線及び無線通信媒体を利用して携帯型記録再生装置２やパーソナルコンピュータ等の各種装置にインストールすることにより入力命令識別処理手順ＲＴ１を実行するようにしても良いし、当該入力命令識別プログラムが格納されたプログラム格納媒体を携帯型記録再生装置２やパーソナルコンピュータ等の各種装置にインストールすることにより入力命令識別処理手順ＲＴ１を実行するようにしても良い。
【０１２７】
因みに上述した入力命令識別処理手順ＲＴ１を実行するための入力命令識別プログラムを携帯型記録再生装置２やパーソナルコンピュータ等の各種装置にインストールして実行可能な状態にするためのプログラム格納媒体としては、例えばフレキシブルディスク、ＣＤ−ＲＯＭ（Compact Disc-Read Only Memory ）、ＤＶＤ（Digital Versatile Disc）等のパッケージメディアのみならず、入力命令識別プログラムが一時的もしくは永続的に格納される半導体メモリや磁気ディスク等で実現しても良い。またこれらプログラム格納媒体に入力命令識別プログラムを格納する手段としては、ローカルエリアネットワークやインターネット、デジタル衛星放送等の有線及び無線通信媒体を利用しても良く、ルータやモデム等の各種通信インターフェースを介して格納するようにしても良い。
【０１２８】
さらに上述の実施の形態においては、本発明による命令入力装置を図１乃至図９について上述した記録再生システム１（特に、携帯型記録再生装置２及びリモコン付きイヤホン５）に適用するようにした場合について述べたが、本発明はこれに限らず、リモートコントローラ単体、映像及び又は音声データ等のコンテンツデータを記録及び又は再生するオーディオ機器、ビデオテープレコーダ等の記録及び又は再生装置、パーソナルコンピュータ、携帯電話機、ＰＤＡ（Personal Digital Assistance ）、ラジオ受信機、テレビジョン受像機等のように、各種命令を入力するものであれば、この他種々の命令入力装置に広く適用することができる。
【０１２９】
さらに上述の実施の形態においては、任意に選択された継続時間で命令を受け付ける命令受付状態と、当該命令受付状態が一時的に解除される受付解除状態とを順次交互に切り替えて操作される操作子として、図１乃至図９についてリモコン付きイヤホン５のリモコン部６に設けられた押下操作可能な操作子８を適用するようにした場合について述べたが、本発明はこれに限らず、回転操作可能な回転操作子、押下操作可能なキーボードの所定の１個のキー及びマウスの１個のボタン、触れるように操作するタッチパネル及びタッチパッド、傾斜操作可能なジョイスティック等のように、命令入力用に操作し得るものであれば、この他種々の操作子を広く適用することができる。
【０１３０】
さらに上述の実施の形態においては、操作子に対する命令受付状態が、継続時間の違いで区別される少なくとも２種類の命令受付状態のうちいずれであるかを判別する判別手段として、図１乃至図９について上述したＣＰＵ２０及びシステムコントローラ３０を適用するようにした場合について述べたが、本発明はこれに限らず、操作子に対する命令受付状態が、継続時間の違いで区別される少なくとも２種類の命令受付状態のうちいずれであるかを判別することができれば、マイクロプロセッサ等のように、この他種々の判別手段を広く適用することができる。
【０１３１】
さらに上述の実施の形態においては、操作子に対する受付解除状態が所定の終了判断基準時間以上継続されたとき、当該操作子に対する操作が終了したと判断する判断手段として、図１乃至図９について上述したＣＰＵ２０及びシステムコントローラ３０を適用するようにした場合について述べたが、本発明はこれに限らず、操作子に対する受付解除状態が所定の終了判断基準時間以上継続されたとき、当該操作子に対する操作が終了したと判断することができれば、マイクロプロセッサ等のように、この他種々の判断手段を広く適用することができる。
【０１３２】
さらに上述の実施の形態においては、操作子に対する操作の開始時点から終了時点までに判別された２種類の命令受付状態の組み合せ内容に基づいて、当該操作子に対する操作に応じて入力された命令を識別する識別手段として、図１乃至図９について上述したＣＰＵ２０及びシステムコントローラ３０を適用するようにした場合について述べたが、本発明はこれに限らず、操作子に対する操作の開始時点から終了時点までに判別された２種類の命令受付状態の組み合せ内容に基づいて、当該操作子に対する操作に応じて入力された命令を識別することができれば、マイクロプロセッサ等のように、この他種々の識別手段を広く適用することができる。
【０１３３】
さらに上述の実施の形態においては、識別手段によって識別された命令を通知する通知手段として、図１乃至図９について上述したシステムコントローラ３０及びリモコン付きイヤホン５を適用するようにした場合について述べたが、本発明はこれに限らず、ＣＰＵ及び命令の名称を音声として出力するスピーカ、ＣＰＵ及び命令の名称を文字として表示する表示部等のように、この他種々の通知手段を広く適用することができる。
【０１３４】
さらに上述の実施の形態においては、所定の記録媒体からコンテンツデータを再生する再生装置として、図１乃至図９について上述した携帯型記録再生装置２を適用するようにした場合について述べたが、本発明はこれに限らず、磁気ディスク、光ディスク、半導体メモリ、磁気テープ等の記録媒体から映像及び又は音声データ等のコンテンツデータを再生する携帯型又は据置型の再生装置等のように、この他種々の再生装置を広く適用することができる。
【０１３５】
さらに上述の実施の形態においては、識別手段によって識別された命令に従って記録媒体からコンテンツデータを再生する再生手段として、図１乃至図９について上述した携帯型記録再生装置２の光ピックアップ３６、レーザドライバ３８、ＲＦアンプ４１及びデコーダ４２を適用するようにした場合について述べたが、本発明はこれに限らず、コンテンツデータの再生に用いる記録媒体の種類に応じて、この他種々の再生手段を広く適用することができる。
【０１３６】
さらに上述の実施の形態においては、所定の記録媒体に対してコンテンツデータを記録再生する記録再生装置として、図１乃至図９について上述した携帯型記録再生装置２を適用するようにした場合について述べたが、本発明はこれに限らず、磁気ディスク、光ディスク、半導体メモリ、磁気テープ等の記録媒体に対して映像及び又は音声データ等のコンテンツデータを記録再生する携帯型又は据置型の記録再生装置等のように、この他種々の記録再生装置を広く適用することができる。
【０１３７】
さらに上述の実施の形態においては、所定の記録媒体に対してコンテンツデータを記録再生する記録再生装置に対する記録再生を制御する制御装置として、図１乃至図９について上述したパーソナルコンピュータ４を適用するようにした場合について述べたが、本発明はこれに限らず、記録再生装置を制御することができれば、編集装置等のように、この他種々の制御装置を広く適用することができる。
【０１３８】
さらに上述の実施の形態においては、識別手段によって識別された命令を記録再生装置に送信する送信手段として、図１乃至図９について上述したパーソナルコンピュータ４の外部機器インターフェース部２８を適用するようにした場合について述べたが、本発明はこれに限らず、記録再生装置及び制御装置間の通信方式に応じた有線通信用又は無線通信用のインターフェース部等のように、この他種々の送信手段を広く適用することができる。
【０１３９】
さらに上述の実施の形態においては、制御装置から送信された命令を受信する受信手段として、図１乃至図９について上述した携帯型記録再生装置２のバッファ３１を適用するようにした場合について述べたが、本発明はこれに限らず、記録再生装置及び制御装置間の通信方式に応じた有線通信用又は無線通信用のインターフェース部等のように、この他種々の受信手段を広く適用することができる。
【０１４０】
さらに上述の実施の形態においては、命令に従って記録媒体に対してコンテンツデータを記録再生する記録再生手段として、図１乃至図９について上述した携帯型記録再生装置２のエンコーダ３２、光ピックアップ３６、レーザドライバ３８、磁気ヘッドドライバ３９、磁気ヘッド４０、ＲＦアンプ４１及びデコーダ４２を適用するようにした場合について述べたが、本発明はこれに限らず、コンテンツデータを記録再生するのに用いる記録媒体の種類に応じて、この他種々の記録再生手段を広く適用することができる。
【産業上の利用可能性】
【０１４１】
本発明は、携帯型記録再生装置や、パーソナルコンピュータ、ＰＤＡに利用することができる。
【図面の簡単な説明】
【０１４２】
【図１】本発明による記録再生システムの全体構成の一実施の形態を示す略線的斜視図である。
【図２】パーソナルコンピュータの回路構成を示すブロック図である。
【図３】携帯型記録再生装置の回路構成を示すブロック図である。
【図４】リモコン付きイヤホンのリモコン部の回路構成を示すブロック図である。
【図５】再生及び一時停止命令に対応する押下操作の説明に供する略線図である。
【図６】再生停止命令に対応する押下操作の説明に供する略線図である。
【図７】早送り再生命令に対応する押下操作の説明に供する略線図である。
【図８】押下操作に応じた命令通知音の説明に供する略線図である。
【図９】入力命令識別処理手順を示すフローチャートである。
【符号の説明】
【０１４３】
１……記録再生システム、２……携帯型記録再生装置、４……パーソナルコンピュータ、５……リモコン付きイヤホン、８……操作子、２８……外部機器インターフェース部、２０……ＣＰＵ、２４……操作部、３０……システムコントローラ、３２……エンコーダ、３６……光ピックアップ、３７……光磁気ディスク、３８……レーザドライバ、３９……磁気ヘッドドライバ、４０……磁気ヘッド、４１……ＲＦアンプ、４２……デコーダ、Ｄ１……音楽データ、Ｓ１６……命令検出用信号、Ｓ１７……命令通知音信号、Ｔ１……状態判別基準時間、Ｔ２……終了判断基準時間、ＲＴ１……入力命令識別処理手順。
【図１】
2005032357.tif 000003
【図２】
2005032357.tif 000004
【図３】
2005032357.tif 000005
【図４】
2005032357.tif 000006
【図５】
2005032357.tif 000007
【図６】
2005032357.tif 000008
【図７】
2005032357.tif 000009
【図８】
2005032357.tif 000010
【図９】
2005032357.tif 000011